(57)【要約】【課題】トリム部分と吸収性物品との再接合をなくすことによって生産性、安全性を改善するとともに、裁断時のトリム部分と吸収性物品との位置ずれをなくすことによって製品品質を向上し、かつトリム部分を取り除くための設備を簡略化する。【解決手段】帯状に連続してなる吸収性物品の帯状体ａから所定形状で個々の吸収性物品Ａに裁断する吸収性物品の製品カッター装置１において、前記製品カッター装置１は、吸収性物品Ａの裁断形状に沿ったカッター４を備えるカッターロール２と、前記カッターロール２に対向して設けられるアンビルロール３とからなり、前記カッターロール２又はアンビルロール３に、前記吸収性物品帯状体ａから個々の吸収性物品Ａに裁断した後のトリム部分Ｔを一時的に保持するトリム保持手段を備える。【選択図】図１
2008237796.tif 000002
【特許請求の範囲】
【請求項１】
帯状に連続してなる吸収性物品の帯状体から、所定形状で個々の吸収性物品に裁断する吸収性物品の製品カッター装置において、
前記製品カッター装置は、前記吸収性物品の裁断形状に沿ったカッターを備えるカッターロールと、前記カッターロールに対向して設けられるアンビルロールとからなり、前記カッターロール又はアンビルロールに、前記吸収性物品帯状体から個々の吸収性物品に裁断した後のトリム部分を一時的に保持するトリム保持手段を備えることを特徴とする吸収性物品の製品カッター装置。
【請求項２】
前記トリム保持手段は、前記カッターロール又はアンビルロールに設けられた吸引保持手段、機械的挟持手段、粘着手段のいずれかである請求項１記載の吸収性物品の製品カッター装置。
【請求項３】
前記トリム保持手段は、内部空気を吸引するための吸引機が接続されるとともに、前記カッターロール又はアンビルロールの所定領域に固定的に設けられ、且つ前記カッターロール又はアンビルロールがわ面が開放する開放面が形成された吸引チャンバーと、前記トリム部分形成領域の前記カッターロール又はアンビルロールの胴部に設けられる胴部吸引口とからなり、
前記カッターロール又はアンビルロールの回転中に、前記胴部吸引口と前記吸引チャンバーの開放面とが連通する状態で吸引力を生じさせ、前記トリム部分をロール表面に吸引保持するようにしてある請求項１、２いずれかに記載の吸収性物品の製品カッター装置。
【請求項４】
前記カッターロール又はアンビルロールには、一方側の前記胴部吸引口と軸対称側の前記胴部吸引口とが連通する半径方向連通孔が設けられるとともに、該半径方向連通孔の中間部分から前記カッターロール又はアンビルロールの側面に貫通し、該側面に側面吸引口が形成される軸方向連通孔が設けられ、
前記吸引チャンバーは、前記カッターロール又はアンビルロールの側面の所定領域に配設され、
前記カッターロール又はアンビルロールの回転中に、前記側面吸引口と前記吸引チャンバーの開放面とが連通する状態で、前記胴部吸引口に吸引力を生じさせ、前記トリム部分をロール表面に吸引保持するようにしてある請求項３記載の吸収性物品の製品カッター装置。
【請求項５】
前記カッターロール又はアンビルロールには、前記胴部吸引口から半径方向に所定深さで穿孔した半径方向孔が設けられるとともに、該半径方向孔の略底部から前記カッターロール又はアンビルロールの側面に貫通し、該側面に側面吸引口が形成される軸方向連通孔が設けられ、
前記吸引チャンバーは、前記カッターロール又はアンビルロールの側面の所定領域に配設され、
前記カッターロール又はアンビルロールの回転中に、前記側面吸引口と前記吸引チャンバーの開放面とが連通する状態で、前記胴部吸引口に吸引力を生じさせ、前記トリム部分を所定の回転区間長に亘ってロール表面に吸引保持するようにしてある請求項３記載の吸収性物品の製品カッター装置。
【請求項６】
前記軸方向連通孔は、前記カッターロール又はアンビルロール胴部の軸方向中央から一方側に形成される前記半径方向連通孔又は半径方向孔に対しては、前記カッターロール又はアンビルロールの一方側の側面に貫通して形成され、前記カッターロール又はアンビルロール胴部の軸方向中央から他方側に形成される前記半径方向連通孔又は半径方向孔に対しては、前記カッターロール又はアンビルロールの他方側の側面に貫通して形成されるとともに、前記吸引チャンバーが前記カッターロール又はアンビルロールの一方側の側面及び他方側の側面にそれぞれ設けられる請求項４、５いずれかに記載の吸収性物品の製品カッター装置。
【請求項７】
前記カッターロール又はアンビルロールには、前記各胴部吸引口から半径方向に所定深さで穿孔した半径方向孔がそれぞれ設けられるとともに、軸方向に並列的関係にある前記半径方向孔の略底部において連通して、前記カッターロール又はアンビルロールの側面に貫通し、該側面に側面吸引口が形成される軸方向連通孔が設けられ、
前記吸引チャンバーは、前記カッターロール又はアンビルロールの側面の所定領域に配設され、
前記カッターロール又はアンビルロールの回転中に、前記側面吸引口と前記吸引チャンバーの開放面とが連通する状態で、前記胴部吸引口に吸引力を生じさせ、前記トリム部分を所定の回転区間長に亘ってロール表面に吸引保持するようにしてある請求項３記載の吸収性物品の製品カッター装置。
【請求項８】
前記カッターロール又はアンビルロールは円筒状に形成されるとともに、その胴部には円筒内部に貫通した前記胴部吸引口が設けられ、
前記吸引チャンバーは、前記カッターロール又はアンビルロール内の所定領域に固定的に設けられるとともに、その前記カッターロール又はアンビルロールの胴部がわ面が開放した開放面が設けられ、
前記カッターロール又はアンビルロールの回転中に、前記胴部吸引口と前記吸引チャンバーの開放面とが連通する状態で、前記胴部吸引口に吸引力を生じさせ、前記トリム部分を所定の回転区間長に亘ってロール表面に吸引保持するようにしてある請求項３記載の吸収性物品の製品カッター装置。
【請求項９】
前記吸引チャンバーは、前記カッターロール又はアンビルロールにおいて、前記カッターによる裁断部位より周方向に所定の回転区間長に亘って設けられる請求項３〜８いずれかに記載の吸収性物品の製品カッター装置。
【請求項１０】
前記吸引チャンバーは、ロール回転方向に沿って複数のチャンバー部分に仕切る仕切板が配設され、各チャンバー部分に対応して、前記吸引機と接続する吸引ダクトが設けられる請求項３〜９いずれかに記載の吸収性物品の製品カッター装置。
【請求項１１】
各チャンバー部分に設けられる前記吸引ダクトからの吸引力を調整可能としてある請求項１０記載の吸収性物品の製品カッター装置。
【請求項１２】
前記カッターロール又はアンビルロールにおいて、個々の吸収性物品に裁断した後のトリム部分を一時的に保持した後、前記カッターロール又はアンビルロールの表面から分離させる分離部を備える請求項１〜１１いずれかに記載の吸収性物品の製品カッター装置。
【発明の詳細な説明】
【技術分野】
【０００１】
本発明は、帯状に連続してなる吸収性物品の帯状体から、所定形状で個々の吸収性物品に裁断する吸収性物品の製品カッター装置に関する。
【背景技術】
【０００２】
従来より、パンティライナー、生理用ナプキン、失禁パッド、紙おむつなどの吸収性物品として、ポリエチレンシートまたはポリエチレンシートラミネート不織布などの不透液性裏面シートと、不織布又は透液性プラスチックシートなどの透液性表面シートとの間に粉砕パルプ等の紙綿からなる吸収体を介在したものが知られている。
【０００３】
これらの吸収性物品を品質よく生産するのに最適な方法として、下記特許文献１では、図１２に示されるように、複数の紙おむつＷが帯状に連続してなる紙おむつ帯状体（以下、紙おむつウェブｗという。）に製品としての加工工程を施してから、紙おむつウェブｗをコンベア５４ａにより製品カッターユニット５０に搬送し、カッターロール５１と、アンビルロール５２と、カッターロール５１及びアンビルロール５３の両端に夫々設けられたリングロール５１ａ、５３ａとから構成される製品カッターユニット５０によって、紙おむつウェブｗを裁断し、個別の紙おむつＷとする方法が記載されている。しかしながら、このような従来技術においては、裁断されたばかりの紙おむつＷの前端部分がばたついて、生産性及び製品品質が低下するおそれがあった。
【０００４】
このような課題を解決するため、下記特許文献１では、図１３に示されるように、製品カッターユニット６０によって複数の紙おむつＷが帯状に連続してなる紙おむつ帯状体（例えば、紙おむつウェブｗ）を切断する方法として、長手方向に所定の間隔で切欠き部６３ａが設けられるカッター６３を外周面に所定のピッチで複数備えるカッターロール６２と、前記カッターロール６２の真下に設けられるアンビルロール６４との間のロール間ギャップに前記紙おむつ帯状体ｗを搬送し、製品カッター部６１において前記カッター６３により順次ノッチを入れ、この紙おむつ帯状体ｗをコンベア６５ａにて、前記コンベア６５ａよりも高速に搬送する高速コンベア６５ｂに搬送し、前記コンベア６５ａと高速コンベア６５ｂとの速度差を利用して紙おむつ帯状体ｗのノッチを引き千切って紙おむつ帯状体ｗを裁断することが提案されている。
【０００５】
ところで、近年は、体液の漏れ防止などの観点から吸収性物品はより身体にフィットするように、身体の曲線や下着の外形などに合わせた複雑な外形形状に形成されるようになってきている。このような吸収性物品を裁断するための製品カッター装置７０としては、図１４に示されるように、吸収性物品の外形形状（裁断形状）に沿ったカッター７３が設けられたカッターロール７１と、アンビルロール７２とから構成されたものが使用され、前記製品カッター装置７０によって吸収性物品帯状体を個々の吸収性物品に裁断するようにしている。このとき、裁断後に、製品（吸収性物品）以外の切れ端部分（トリム部分７４）が生成されるようになる。このトリム部分７４は、図１４(A)に示されるように、カッターロール７１への巻込み防止などの点から、前記カッターロール７１から少し離れたライン下流側位置にて、トリム除去設備７５などによって分離して取り除くようにしていた。
【特許文献１】特開２００３−１３５５１８号公報
【発明の開示】
【発明が解決しようとする課題】
【０００６】
しかしながら、このようなトリム部分の除去方法においては、以下のような問題が生じていた。
(1)一般に吸収性物品を構成する部材は繊維状素材によって構成されるため、前記カッター７３で裁断したトリム部分と、吸収性物品との裁断面からそれぞれ突出した繊維片同士が、トリム除去設備７５までの移送中の微振動などによって再接合する場合がある。
(2)このような再接合が生じると、生産ラインを止めて人手で復旧作業を行わなければならず、ラインが停滞することにより生産性が低下したり、誤って再稼働されることにより事故の危険性が高くなったりする。
(3)一般にカッター７３をアンビルロール７２に押し付けることにより切断しているため、吸収性物品とトリム部分との間に徐々に位置ずれが生じて、生産性及び製品品質が低下する。
(4)トリム部分を取り除くためにトリム除去設備７５などの設置が必要となるため、設備費が嵩むとともに、設備設置スペースが必要となる。
【０００７】
そこで、本発明は上記事情に鑑みてなされたものであって、トリム部分と吸収性物品との再接合を無くすことによって生産性、安全性を改善するとともに、裁断時のトリム部分と吸収性物品との位置ずれをなくすことによって製品品質を向上し、かつトリム部分を取り除くための設備を簡略化した吸収性物品の製品カッター装置を提供することを目的とする。
【課題を解決するための手段】
【０００８】
前記課題を解決するために請求項１に係る本発明として、帯状に連続してなる吸収性物品の帯状体から、所定形状で個々の吸収性物品に裁断する吸収性物品の製品カッター装置において、
前記製品カッター装置は、前記吸収性物品の裁断形状に沿ったカッターを備えるカッターロールと、前記カッターロールに対向して設けられるアンビルロールとからなり、前記カッターロール又はアンビルロールに、前記吸収性物品帯状体から個々の吸収性物品に裁断した後のトリム部分を一時的に保持するトリム保持手段を備えることを特徴とする吸収性物品の製品カッター装置が提供される。
【０００９】
上記請求項１記載の本発明では、カッターロール又はアンビルロールに、前記トリム部分を一時的に保持するトリム保持手段が備えられているため、トリム部分と吸収性物品とは裁断直後に分離される。これにより、トリム部分と吸収性物品との再接合がなくなるため、吸収性物品の生産性、安全性を改善することができるようになる。また、裁断時においてもトリム部分がカッターロール又はアンビルロールに保持されることにより、裁断時のトリム部分と吸収性物品との位置ずれがなくなり、製品品質が向上できる。さらに、トリム部分がカッターロール又はアンビルロールに一時的に保持されて分離されるため、トリム部分を取り除くための設備を別途設ける必要がなく、設備の簡略化が図れる。更には、従来の方法の場合、トリム部分をラインに流していたため、切れ不良が生じると、通紙などによる復旧に時間が掛かっていたが、本発明の場合はトリム部分がラインを流れないため復旧時間を大幅に短縮できるようになる。
【００１０】
請求項２記載の本発明として、前記トリム保持手段は、前記カッターロール又はアンビルロールに設けられた吸引保持手段、機械的挟持手段、粘着手段のいずれかである請求項１記載の吸収性物品の製品カッター装置が提供される。
【００１１】
上記請求項２記載の本発明では、前記トリム保持手段として、トリム部分を吸引保持する吸引保持手段や、ロールの胴部表面に機械的に挟持しておく機械的挟持手段、または粘着材により接着する粘着手段のいずれかのトリム保持手段を施すことができる。
【００１２】
請求項３に係る本発明として、前記トリム保持手段は、内部空気を吸引するための吸引機が接続されるとともに、前記カッターロール又はアンビルロールの所定領域に固定的に設けられ、且つ前記カッターロール又はアンビルロールがわ面が開放する開放面が形成された吸引チャンバーと、前記トリム部分形成領域の前記カッターロール又はアンビルロールの胴部に設けられる胴部吸引口とからなり、
前記カッターロール又はアンビルロールの回転中に、前記胴部吸引口と前記吸引チャンバーの開放面とが連通する状態で吸引力を生じさせ、前記トリム部分をロール表面に吸引保持するようにしてある請求項１、２いずれかに記載の吸収性物品の製品カッター装置が提供される。
【００１３】
上記請求項３記載の本発明は、前記トリム保持手段のうち、吸引保持手段について詳述したものであり、前記胴部吸引口と前記吸引チャンバーの開放面とが連通する状態で吸引力を生じさせることによって、前記トリム部分をロール表面に吸引保持することが可能となる。
【００１４】
請求項４に係る本発明として、前記カッターロール又はアンビルロールには、一方側の前記胴部吸引口と軸対称側の前記胴部吸引口とが連通する半径方向連通孔が設けられるとともに、該半径方向連通孔の中間部分から前記カッターロール又はアンビルロールの側面に貫通し、該側面に側面吸引口が形成される軸方向連通孔が設けられ、
前記吸引チャンバーは、前記カッターロール又はアンビルロールの側面の所定領域に配設され、
前記カッターロール又はアンビルロールの回転中に、前記側面吸引口と前記吸引チャンバーの開放面とが連通する状態で、前記胴部吸引口に吸引力を生じさせ、前記トリム部分をロール表面に吸引保持するようにしてある請求項３記載の吸収性物品の製品カッター装置が提供される。
【００１５】
上記請求項４記載の本発明は、上記請求項３記載のトリム保持手段の第１の形態例を示したものであり、前記半径方向連通孔の中間部分から側面に向けて軸方向連通孔が形成されるとともに、側面に側面吸引口が形成されることによって、この側面吸引口を通じて胴部吸引口に吸引力を生じさせることが可能となる。
【００１６】
請求項５に係る本発明として、前記カッターロール又はアンビルロールには、前記胴部吸引口から半径方向に所定深さで穿孔した半径方向孔が設けられるとともに、該半径方向孔の略底部から前記カッターロール又はアンビルロールの側面に貫通し、該側面に側面吸引口が形成される軸方向連通孔が設けられ、
前記吸引チャンバーは、前記カッターロール又はアンビルロールの側面の所定領域に配設され、
前記カッターロール又はアンビルロールの回転中に、前記側面吸引口と前記吸引チャンバーの開放面とが連通する状態で、前記胴部吸引口に吸引力を生じさせ、前記トリム部分を所定の回転区間長に亘ってロール表面に吸引保持するようにしてある請求項３記載の吸収性物品の製品カッター装置が提供される。
【００１７】
上記請求項５記載の本発明は、上記請求項３記載のトリム保持手段の第２形態例を示したものであり、胴部吸引口から半径方向に所定深さで穿孔した半径方向孔の略底部から側面に向けて軸方向連通孔が形成されるとともに、側面に側面吸引口が形成されることによって、この側面吸引口を通じて胴部吸引口の所定の回転区間長に亘って吸引力を生じさせることが可能となる。
【００１８】
請求項６に係る本発明として、前記軸方向連通孔は、前記カッターロール又はアンビルロール胴部の軸方向中央から一方側に形成される前記半径方向連通孔又は半径方向孔に対しては、前記カッターロール又はアンビルロールの一方側の側面に貫通して形成され、前記カッターロール又はアンビルロール胴部の軸方向中央から他方側に形成される前記半径方向連通孔又は半径方向孔に対しては、前記カッターロール又はアンビルロールの他方側の側面に貫通して形成されるとともに、前記吸引チャンバーが前記カッターロール又はアンビルロールの一方側の側面及び他方側の側面にそれぞれ設けられる請求項４、５いずれかに記載の吸収性物品の製品カッター装置が提供される。
【００１９】
上記請求項６記載の本発明は、前記トリム保持手段の第１形態例及び第２形態例において、軸方向連通孔及び吸引チャンバーの好ましい構成を示したものである。すなわち、吸引チャンバーをカッターロール又はアンビルロールの両側面に設け、形成される半径方向連通孔又は半径方向孔に対して近い方の側面側に軸方向連通孔を設けるようにしたものである。
【００２０】
請求項７に係る本発明として、前記カッターロール又はアンビルロールには、前記各胴部吸引口から半径方向に所定深さで穿孔した半径方向孔がそれぞれ設けられるとともに、軸方向に並列的関係にある前記半径方向孔の略底部において連通して、前記カッターロール又はアンビルロールの側面に貫通し、該側面に側面吸引口が形成される軸方向連通孔が設けられ、
前記吸引チャンバーは、前記カッターロール又はアンビルロールの側面の所定領域に配設され、
前記カッターロール又はアンビルロールの回転中に、前記側面吸引口と前記吸引チャンバーの開放面とが連通する状態で、前記胴部吸引口に吸引力を生じさせ、前記トリム部分を所定の回転区間長に亘ってロール表面に吸引保持するようにしてある請求項３記載の吸収性物品の製品カッター装置が提供される。
【００２１】
上記請求項７記載の本発明は、上記請求項３記載のトリム保持手段の第３形態例を示したものであり、各胴部吸引口から半径方向に所定深さで穿孔した半径方向孔がそれぞれ設けられるとともに、軸方向に並列的関係にある前記半径方向孔の略底部において連通して、前記カッターロール又はアンビルロールの側面に貫通し、該側面に側面吸引口が形成される軸方向連通孔が設けられることによって、前記側面吸引口から吸引することによって胴部吸引口において吸引力を生じさせるようにしたものである。
【００２２】
請求項８に係る本発明として、前記カッターロール又はアンビルロールは円筒状に形成されるとともに、その胴部には円筒内部に貫通した前記胴部吸引口が設けられ、
前記吸引チャンバーは、前記カッターロール又はアンビルロール内の所定領域に固定的に設けられるとともに、その前記カッターロール又はアンビルロールの胴部がわ面が開放した開放面が設けられ、
前記カッターロール又はアンビルロールの回転中に、前記胴部吸引口と前記吸引チャンバーの開放面とが連通する状態で、前記胴部吸引口に吸引力を生じさせ、前記トリム部分を所定の回転区間長に亘ってロール表面に吸引保持するようにしてある請求項３記載の吸収性物品の製品カッター装置が提供される。
【００２３】
上記請求項８記載の本発明は、上記請求項３記載のトリム保持手段の第４形態例を示したものであり、前記カッターロール又はアンビルロールは円筒状に形成されるとともに、その胴部には円筒内部に貫通した前記胴部吸引口が設けられ、前記吸引チャンバーは、前記カッターロール又はアンビルロール内の所定領域に固定的に設けられるとともに、その前記カッターロール又はアンビルロールの胴部がわ面が開放した開放面が設けられることによって、胴部吸引口から直接吸引チャンバーに吸引するようにしたものである。
【００２４】
請求項９に係る本発明として、前記吸引チャンバーは、前記カッターロール又はアンビルロールにおいて、前記カッターによる裁断部位より周方向に所定の回転区間長に亘って設けられる請求項３〜８いずれかに記載の吸収性物品の製品カッター装置が提供される。
【００２５】
上記請求項９記載の本発明は、前記吸引チャンバーが、前記カッターロール又はアンビルロールにおいて、前記カッターによる裁断部位より周方向に所定の回転区間長に亘って設けられることにより、所定の回転区間長で前記トリム部分を吸引保持するようにしたものである。
【００２６】
請求項１０に係る本発明として、前記吸引チャンバーは、ロール回転方向に沿って複数のチャンバー部分に仕切る仕切板が配設され、各チャンバー部分に対応して、前記吸引機と接続する吸引ダクトが設けられる請求項３〜９いずれかに記載の吸収性物品の製品カッター装置が提供される。このとき、各チャンバー部分に設けられる前記吸引ダクトからの吸引力は調整可能とすることが好ましい。
【００２７】
請求項１２に係る本発明として、前記カッターロール又はアンビルロールにおいて、個々の吸収性物品に裁断した後のトリム部分を一時的に保持した後、前記カッターロール又はアンビルロールの表面から分離させる分離部を備える請求項１〜１１いずれかに記載の吸収性物品の製品カッター装置が提供される。
【発明の効果】
【００２８】
以上詳説のとおり本発明によれば、トリム部分と吸収性物品との再接合を無くすことによって生産性、安全性が改善できるとともに、裁断時のトリム部分と吸収性物品との位置ずれをなくすことによって製品品質が向上でき、かつトリム部分を取り除くための設備が簡略化できるようになる等の利点がもたらされるようになる。
【発明を実施するための最良の形態】
【００２９】
以下、本発明の実施の形態について図面を参照しながら詳述する。図１は、本発明に係る製品カッター装置１を示す、(A)は側面図、(B)はそのＢ−Ｂ線矢視図である。
【００３０】
本発明に係る製品カッター装置１は、帯状に連続してなる吸収性物品の帯状体ａから、所定形状で個々の吸収性物品Ａを裁断するためのものである。
【００３１】
前記製品カッター装置１は、吸収性物品Ａの裁断形状に沿ったカッター４、４…を備えるカッターロール２と、前記カッターロール２に対向して設けられるアンビルロール３とからなり、前記カッターロール２に、前記吸収性物品帯状体ａから個々の吸収性物品Ａに裁断した後のトリム部分Ｔを一時的に保持するトリム保持手段を備えるものである。ここで、前記トリム部分Ｔとは、図２に示されるように、吸収性物品帯状体ａから吸収性物品Ａを裁断した後の切れ端部分（図中の斜線部分）を示す。
【００３２】
また、前記製品カッター装置１の前後には、それぞれ、吸収性物品帯状体ａを搬送するためのコンベア１０と、裁断後の吸収性物品Ａを次工程へ搬送するためのコンベア１１とが配設されている。
【００３３】
図１及び図３に示されるように、カッターロール２の外周面には、吸収性物品Ａの裁断形状に沿った複数の、図示例では４つのカッター４、４…が設けられている。ここで、吸収性物品Ａの裁断形状は、吸収性物品Ａの使用目的に合わせた任意の形状とすることができる。吸収性物品Ａが、単に縦長に形成される場合には略長方形形状とすることができる。図示例では、長手方向中間部分の幅広部分を有する形状としてある。
【００３４】
前記トリム保持手段としては、前記カッターロール２に設けられた、トリム部分Ｔをロール表面に吸引保持しておく吸引保持手段や、ロールの胴部表面に機械的に挟持しておく機械的挟持手段、または粘着材により接着する粘着手段のいずれかのトリム保持手段とすることができる。
【００３５】
（トリム保持手段の第１形態例）
前記トリム保持手段のうち、前記吸引保持手段について具体的に詳述すると、前記トリム保持手段は、内部空気を吸引するための吸引機（図示せず）が接続されるとともに、前記カッターロール２の所定領域に固定的に設けられ、且つ前記カッターロール２がわ面が開放する開放面５ａが形成された吸引チャンバー５と、前記トリム部分形成領域の前記カッターロール２の胴部に設けられる胴部吸引口６、６…とからなり、前記カッターロール２の回転中に、前記胴部吸引口６、６…と前記吸引チャンバー５の開放面５ａとが連通する状態で吸引力を生じさせ、前記トリム部分Ｔをカッターロール２の表面に吸引保持するようにしたものとすることができる。
【００３６】
さらに具体的には、図４及び図５に示されるように、前記カッターロール２には、一方側の前記胴部吸引口６と軸対称側の前記胴部吸引口６とが連通する半径方向連通孔７Ａが設けられるとともに、該半径方向連通孔７Ａの中間部分から前記カッターロール２の側面に貫通し、該側面に側面吸引口８が形成される軸方向連通孔９が設けられるようにする。また、前記吸引チャンバー５は、前記カッターロール２の側面の所定領域に配設する。
【００３７】
上記構成により、前記カッターロール２の回転中に、前記側面吸引口８と前記吸引チャンバー５の開放面５ａとが連通する状態で、前記胴部吸引口６に吸引力を生じさせ、前記トリム部分Ｔをカッターロール２の表面に吸引保持できるようになる。特に、本形態例では、前記半径方向連通孔７Ａがカッターロール２を貫通して設けられているため、側面吸引口８から吸引することにより、カッターロール２の全周に亘って吸引できるようになる。
【００３８】
なお、前記吸引チャンバー５の開放面５ａと、前記カッターロール２の側面とは、摺動性等を考慮して、ウレタンやフッ素樹脂など一般に使用される材質のものからなるパッキン（図示せず）などの封止手段によって封止されている。
【００３９】
前記側面吸引口８は、半径方向連通孔７Ａに対し、中間部分に少なくとも１箇所設けられるようにすればよいが、図４に示されるように、２箇所以上設けられるようにしてもよい。
【００４０】
また、前記軸方向連通孔９は、図４に示されるように、前記カッターロール２の胴部の軸方向中央から一方側（右側）に形成される前記半径方向連通孔７Ａに対しては、前記カッターロール２の一方側（右側）の側面に貫通して形成され、前記カッターロール２の胴部の軸方向中央から他方側（左側）に形成される前記半径方向連通孔７Ａに対しては、前記カッターロール２の他方側（左側）の側面に貫通して形成されるようにし、前記吸引チャンバー５が前記カッターロール２の一方側（右側）の側面及び他方側（左側）の側面にそれぞれ設けられるようにすることが好ましい。これにより、加工が容易化できるとともに、胴部吸引口６、６…において左右均等の吸引力が作用するようになる。
【００４１】
前記吸引チャンバー５は、前記カッターロール２において、前記カッター４による裁断部位より周方向に所定の回転区間長に亘って、図１に示される例では前記カッターロール２を略半周する回転区間長に亘って設けられている。
【００４２】
また、前記吸引チャンバー５は、図６に示されるように、ロール回転方向に沿って複数の、図示例では２つのチャンバー部分５ｃ、５ｃに仕切る仕切板５ｂが配設され、２つのチャンバー部分が形成されるとともに、各チャンバー部分５ｃに対応して、吸引機（図示せず）と接続する吸引ダクト５ｄが設けられるようにしてもよい。この際、各チャンバー部分５ｃに設けられる前記吸引ダクト５ｄからの吸引力は、吸引力の異なる吸引機に接続したり、吸引ダクト５ｄの途中に開閉式ダンパーを配設したりするなどして、調整可能とすることが好ましい。これにより、回転区間ごとに吸引力を調整できるようになる。一方、複数のチャンバー部分５ｃに仕切ることにより回転区間ごとの吸引力を均一化することも可能となる。
【００４３】
前記胴部吸引口６の形状は、図７に示されるように、加工性等の点から(A)円形とすることが好ましいが、(B)楕円形、(C)四角形、(D)メッシュ状などとすることも可能である。
【００４４】
前記吸引チャンバー５が配設される回転区間長の終端部には、前記カッターロール２において一時的に保持された前記トリム部分Ｔを、前記カッターロール２の表面から分離させる分離部が備えられている。この分離部は、図１に示される例では、トリム部分Ｔを巻き取って除去する除去用ロール１２、１２…によって構成されている。
【００４５】
（トリム保持手段の第２形態例）
第２形態例に係るトリム保持手段は、図８に示されるように、前記カッターロール２には、前記胴部吸引口６から半径方向に所定深さで穿孔した半径方向孔７Ｂが設けられるとともに、該半径方向孔７Ｂの略底部から前記カッターロール２の側面に貫通し、該側面に側面吸引口８が形成される軸方向連通孔９が設けられるようにする。また、前記吸引チャンバー５は、前記カッターロール２の側面の所定領域に配設する。
【００４６】
上記構成により、前記カッターロール２の回転中に、前記側面吸引口８と前記吸引チャンバー５の開放面５ａとが連通する状態で、前記胴部吸引口６に吸引力を生じさせ、前記トリム部分Ｔを所定の回転区間長に亘ってカッターロール２の表面に吸引保持できるようになる。特に、本形態例では、側面吸引口８が吸引チャンバー５の開放面５ａと連通する回転区間長においてのみ、前記胴部吸引口６に吸引力を発生させることができるようになる。
【００４７】
前記吸引チャンバー５は、前記カッターロール２において、前記カッター４による裁断部位より周方向に所定の回転区間長に亘って、図１に示される例では前記カッターロール２を略半周する回転区間長に亘って設けられている。したがって、図示例では、トリム部分Ｔは、カッター４による裁断部位より周方向にカッターロール２を略半周する回転区間長に亘って、吸引保持された状態が維持されるようになっている。
【００４８】
なお、その他の構成については、上記第１形態例と同様に構成することができる。
【００４９】
（トリム保持手段の第３形態例）
第３形態例に係るトリム保持手段は、図９に示されるように、前記カッターロール２には、前記各胴部吸引口６、６…から半径方向に所定深さで穿孔した半径方向孔７Ｂ、７Ｂ…がそれぞれ設けられるとともに、軸方向に並列的関係にある前記半径方向孔７Ｂ、７Ｂ…の略底部において連通して、前記カッターロール２の側面に貫通し、該側面に側面吸引口８が形成される軸方向連通孔９が設けられるようにする。ここで、図示例では、前記軸方向連通孔９は一方がわ側面から他方がわ側面に貫通して設けられるようにしたが、少なくとも一方がわ側面に連通していればよい。また、前記吸引チャンバー５は、前記カッターロール２の側面吸引口８が形成された一方の側面の所定領域に配設する。
【００５０】
上記構成により、前記前記カッターロール２の回転中に、前記側面吸引口８と前記吸引チャンバー５の開放面５ａとが連通する状態で、前記胴部吸引口６に吸引力を生じさせ、前記トリム部分Ｔを所定の回転区間長に亘ってカッターロール２の表面に吸引保持できるようになる。
【００５１】
（トリム保持手段の第４形態例）
第４形態例に係るトリム保持手段は、図１０及び図１１に示されるように、前記カッターロール２が円筒状に形成されるとともに、その胴部には円筒内部に貫通した前記胴部吸引口６が設けられている。また、前記吸引チャンバー５は、前記カッターロール２内の所定領域に固定的に設けられるとともに、その前記カッターロール２の胴部がわ面が開放した開放面５ａ、５ａ…が設けられている。
【００５２】
上記構成により、前記カッターロール２の回転中に、前記胴部吸引口６と前記吸引チャンバー５の開放面５ａ、５ａ…とが連通する状態で、前記胴部吸引口６に吸引力を生じさせ、前記トリム部分Ｔを所定の回転区間長に亘ってカッターロール２の表面に吸引保持できるようになる。
【００５３】
前記吸引チャンバー５には、図１１に示されるように、カッターロール２に内接する面に、溝孔形状（図示例）、多孔状、メッシュ状、又はこれらの組合せ等、任意に選定された種々の形態で、カッターロール２がわ面が開放した開放面５ａ、５ａ…が設けられている。
【００５４】
なお、その他の構成については、上記第１形態例と同様に構成することができる。
【００５５】
（トリム保持手段の他の形態例）
一方、前記トリム保持手段のうち前記機械的挟持手段は、例えば、前記カッターロール２に、カッター４による裁断部位より周方向に所定の回転区間長に亘って、トリム部分Ｔを機械的に挟持するための留め具（図示せず）を備えることによって構成することができる。また、前記粘着手段は、例えば、前記カッターロール２のトリム部分Ｔの対応領域に、トリム部分Ｔを接着するための粘着材（図示せず）を備えることによって構成することができる。
【００５６】
（裁断動作の説明）
次に、上述のように構成された本形態の製品カッター装置１による吸収性物品帯状体ａの裁断動作について説明する。
【００５７】
吸収性物品帯状体ａは、加工工程を経た後、コンベア１０によって製品カッター装置１へ搬送され、カッターロール２とアンビルロール３との間のロール間ギャップに挿入される。そして、カッターロール２及びアンビルロール３が回転して、カッター４によって吸収性物品帯状体ａが裁断される。
【００５８】
裁断の際、吸収性物品帯状体ａのトリム部分Ｔが前記トリム保持手段によってカッターロール２の表面に保持されるようになっているため、吸収性物品帯状体ａは、裁断直後、吸収性物品Ａとトリム部分Ｔとに速やかに分離され、前記吸収性物品Ａはカッターロール２から分離して、コンベア１１へ送られる。
【００５９】
一方、裁断後のトリム部分Ｔは、カッターロール２に設けられたトリム保持手段によって周方向に所定の回転区間長でカッターロール２の表面に保持された状態が維持され、その後前記分離部において除去用ロール１２によってカッターロール２の表面から分離除去される。
【００６０】
以上のように、本実施の形態の製品カッター装置１によれば、カッターロール２にトリム保持手段を設けたことにより、吸収性物品Ａとトリム部分Ｔとが裁断直後に分離されるため、裁断したトリム部分Ｔと吸収性物品Ａの裁断面からそれぞれ突出した繊維片同士が移送中によって再接合することがなくなり、ラインが停滞又は停止することによる生産性の低下を改善することができるとともに、人手での復旧作業が無くなるため、誤って再稼働がなされることによる事故などの危険性を回避することができる。また、裁断の際、トリム部分Ｔをカッターロール２に保持した状態で裁断が行われるため、トリム部分Ｔと吸収性物品Ａとの位置ずれが無くなり、生産性及び製品品質を向上することができる。さらに、トリム部分Ｔと吸収性物品Ａとが裁断直後に分離されるため、トリム部分Ｔを取り除くための除去設備を別途設ける必要が無くなり、設備を簡略化することができるようになる。
【００６１】
〔他の形態例〕
(1)上記形態例では、トリム保持手段をカッターロール２に設けるようにしたが、アンビルロール３に設け、トリム部分Ｔを分離した後、アンビルロール３側に移送するるようにしてもよい。
【図面の簡単な説明】
【００６２】
【図１】本発明に係る製品カッター装置１を示す、(A)は側面図、(B)はそのＢ−Ｂ線矢視図である。
【図２】トリム部分Ｔを示す平面図である。
【図３】トリム保持手段の斜視図である。
【図４】第１形態例に係るトリム保持手段の縦断面図である。
【図５】吸引チャンバー５の斜視図である。
【図６】仕切板５ｂを配設した吸引チャンバー５の斜視図である。
【図７】胴部吸引口６を(A)は円形、(B)は楕円形、(C)は四角形、(D)はメッシュ状に形成した平面図である。
【図８】第２形態例に係るトリム保持手段の縦断面図である。
【図９】第３形態例に係るトリム保持手段の縦断面図である。
【図１０】第４形態例に係るトリム保持手段の斜視図である。
【図１１】第４形態例に係る吸引チャンバー５の斜視図である。
【図１２】従来の製品カッター装置を示す形態例（その１）である。
【図１３】従来の製品カッター装置を示す形態例（その２）の(A)は側面図、(B)はそのＢ−Ｂ線矢視図である。
【図１４】従来の製品カッター装置を示す形態例（その３）の(A)は側面図、(B)はそのＢ−Ｂ線矢視図である。
【符号の説明】
【００６３】
１…製品カッター装置、２…カッターロール、３…アンビルロール、４…カッター、５…吸引チャンバー、６…胴部吸引口、７Ａ…半径方向連通孔、７Ｂ…半径方向孔、８…側面吸引口、９…軸方向連通孔、１０・１１…コンベア、Ａ…吸収性物品、ａ…吸収性物品帯状体、Ｔ…トリム部分
【図１】
2008237796.tif 000003
【図２】
2008237796.tif 000004
【図３】
2008237796.tif 000005
【図４】
2008237796.tif 000006
【図５】
2008237796.tif 000007
【図６】
2008237796.tif 000008
【図７】
2008237796.tif 000009
【図８】
2008237796.tif 000010
【図９】
2008237796.tif 000011
【図１０】
2008237796.tif 000012
【図１１】
2008237796.tif 000013
【図１２】
2008237796.tif 000014
【図１３】
2008237796.tif 000015
【図１４】
2008237796.tif 000016